(57)【要約】    【課題】  高圧放電ランプの寿命進展程度の如何にかかわらず放電アークの立ち消えを生じることなく調光可能な高圧放電ランプ点灯装置を提供する。    【解決手段】  高圧放電ランプ点灯装置は、定電力制御により高圧放電ランプＨＰＬを点灯する点灯回路ＯＣと、点灯回路の出力を低減して高圧放電ランプを調光点灯する際に、高圧放電ランプのランプ電圧およびランプ電流の値の少なくとも一方を監視して、これらの値が所定範囲を超えて変動するときには、調光保護動作を行って所望レベルまでの調光を行う。調光保護動作としては、例えばいったん停止し、当該変動が落ち着いた後に調光操作を再開する制御を繰り返して所望のレベルまで調光する制御手段ＣＣとを具備している。【選択図】図１
2008130294.tif 000002
【特許請求の範囲】
【請求項１】
高圧放電ランプを定電力制御により点灯する点灯回路と；
点灯回路の出力を低減して高圧放電ランプを調光点灯する際に、高圧放電ランプのランプ電圧およびランプ電流の値の少なくとも一方を監視して、これらの値が所定範囲を超えて変動するときには調光保護動作を行いながら所望のレベルまで調光する制御手段と；
を具備していることを特徴とする高圧放電ランプ点灯装置。
【請求項２】
制御手段は、全光点灯時の値を基準として所定範囲を超えて変動するか否かを判定することを特徴とする請求項１記載の高圧放電ランプ点灯装置。
【請求項３】
制御手段は、調光動作を行う直前の値を基準として所定範囲を超えて変動するか否かを判定することを特徴とする請求項１記載の高圧放電ランプ点灯装置。
【請求項４】
制御手段は、調光動作時におけるランプ電流の電流下限値を規定する電流リミッタを含んでいることを特徴とする請求項１ないし３のいずれか一記載の高圧放電ランプ点灯装置。
【請求項５】
調光保護動作は、点灯回路を定電流制御に切り換えて調光動作を継続することからなる請求項１または４記載の高圧放電ランプ点灯装置。
【請求項６】
制御手段は、調光保護動作が、ランプ電圧またはランプ電流が所定範囲を超えるときに調光動作をいったん停止し、ランプ電圧またはランプ電流が落ち着いたときに調光動作を再開する保護動作を行う態様である場合に、調光動作をいったん停止したときに点灯回路を一時的に定電流制御に変更することを特徴とする請求項１ないし４のいずれか一記載の高圧放電ランプ点灯装置。
【発明の詳細な説明】
【技術分野】
【０００１】
本発明は、高圧放電ランプを調光可能に点灯する高圧放電ランプ点灯装置の改良に関する。
【背景技術】
【０００２】
高圧放電ランプは、ランプ定格付近において光出力を一定にするために定電力制御を行うのが一般的である。
【０００３】
定電力制御形の高圧放電ランプ点灯装置において、高圧放電ランプを急激に調光すると、ランプ電圧が急激に上昇する。このため、ランプ電流が急激に減少して放電アークが立ち消えしやすくなる。その結果、調光下限レベルを低くすることができない。
【０００４】
そこで、瞬時に調光すると立ち消える範囲を含む場合には、立ち消えない第１の調光レベルまでは高圧放電ランプを瞬時に調光し、その後に立ち消えの発生しにくい調光スピードで調光下限値まで徐々に調光するように制御し、ランプ電圧が所定範囲を外れた場合には、第１の調光レベルよりも大きい第３の調光レベルに変化させるようにした高圧放電ランプ点灯装置は既知である（例えば、特許文献１参照。）。
【０００５】
【特許文献１】特開２００５−１２３１４０号公報
【発明の開示】
【発明が解決しようとする課題】
【０００６】
上述した既知の高圧放電ランプ点灯装置では、高圧放電ランプのランプ電圧の推移を監視して、寿命末期やスローリークにより所定範囲を外れた場合に瞬時に調光する第１の調光レベルをこれより高い第３の調光に変更するもので、調光制御を正常時と異常時に２区分するものである。
【０００７】
ところが、実際には高圧放電ランプのランプ電圧は、使用初期から寿命末期が発生するまでの間、点灯時間の進展に伴って徐々に上昇していく。そのため、上述のように２区分において正常時の第１の調光レベル設定に際しては、上述のように寿命の進展に伴ってランプ電圧が上昇していくことを考慮して、異常時のランプ電圧に近いランプ電圧に対して瞬時に調光しても立ち消えが発生しないような安全サイドの値を設定することになる。その結果、第１の調光レベルを比較的高く設定するので、調光下限値との間のレベル差が大きくなる。そのため、立ち消えの発生しにくい調光スピードで調光下限値まで徐々に調光する期間が結果的に長くなるので、調光下限値に達するまでの時間がかかりやすい。
【０００８】
一方、定電力制御で高圧放電ランプを点灯中に、ランプ電力を調光時に低減すると、ランプ電圧が一時的に調光前の値より高く上昇するので、調光動作を中止すると、その後徐々に低下して調光後の値に達して安定する。これに対して、ランプ電流は、急激に減少し、その後徐々に回復して調光後の値に達して安定する。このような現象は、調光が急激に行われるほど顕著に現れる。
【０００９】
本発明は、このような現象に注目してなされたもので、高圧放電ランプの寿命進展程度の如何にかかわらず放電アークの立ち消えを生じることなく調光可能な高圧放電ランプ点灯装置を提供することを目的とする。
【課題を解決するための手段】
【００１０】
本発明の高圧放電ランプ点灯装置は、定電力制御により高圧放電ランプを点灯する点灯回路と；点灯回路の出力を低減して高圧放電ランプを調光点灯する際に、高圧放電ランプのランプ電圧およびランプ電流の値の少なくとも一方を監視して、これらの値が所定範囲を超えて変動するときには調光保護動作を行いながら所望のレベルまで調光する制御手段と；を具備していることを特徴としている。
【００１１】
本発明における態様、用語の定義および技術的意味は以下のとおりである。
【００１２】
〔高圧放電ランプについて〕    高圧放電ランプは、メタルハライドランプ、水銀ランプおよび高圧ナトリウムランプなどを所望により適宜選択して採用することができる。なお、定格ランプ電力およびその他のランプ仕様は特段限定されない。
【００１３】
〔点灯回路について〕    点灯回路は、定電力制御を行うことによって高圧放電ランプを安定に点灯するもので、好ましくは制御の容易な電子化された構成である。点灯の形式は、交流点灯および直流点灯のいずれであってもよい。電子化された場合の回路構成はどのようなものであってもよいが、例えばフルブリッジ形インバータ回路やチョッパ回路、例えば降圧チョッパ回路または昇圧チョッパ回路などを主体として点灯回路の主回路部分を構成することができる。
【００１４】
〔制御手段について〕    制御手段は、少なくとも高圧放電ランプの調光のために点灯回路を制御する。この制御は、調光を指令する調光信号に対応して点灯回路の出力を低減させて高圧放電ランプを調光する。また、少なくとも調光時には高圧放電ランプのランプ電圧およびランプ電流の少なくとも一方を監視して、それらの値の変化が所定範囲を超える場合には調光保護動作を行いながら所望のレベルまで高圧放電ランプを調光する。
【００１５】
本発明において、上記調光保護動作の第１の態様は、監視するランプ電圧またはランプ電流が所定範囲を超える場合、調光動作をいったん停止させるように制御し、監視するランプ電圧またはランプ電流が徐々に落ち着いたら、再度調光動作を再開する保護動作である。なお、高圧放電ランプの監視の態様としては、ランプ電圧またはランプ電流のいずれか一方または両方を監視することができる。
【００１６】
第１の態様についてさらに詳述すれば、調光を行う場合、ランプ電圧を監視していると、調光と同時にその値が調光前の値より高くオーバーシュートして上昇するが、調光動作をその状態で停止すると、ランプ電圧は低下しだし、やがてそのときの調光レベルに対応した値に徐々に達して落ち着く。一方、ランプ電流を監視すると、調光のときにはランプ電圧の上昇によるランプ電力の増加を補償するように調光と同時にアンダーシュートして低下するが、調光動作をその状態で停止すると、ランプ電流は増加しだし、やがてそのときの調光レベルに対応した値に徐々に達して落ち着く。
【００１７】
なお、第１の態様においては、点灯回路の負荷特性を、調光保護動作中も引き続き定電力制御形を維持することができる。しかし、所望により調光保護動作中点灯回路の負荷特性を定電流制御形に切り換えることも許容される。
【００１８】
本発明において、前記調光保護動作の第２の態様は、監視するランプ電圧またはランプ電流が所定範囲を超える場合、点灯回路の負荷特性を定電力制御形から定電流制御形に切り換えるとともに、調光動作を引き続き継続して所望レベルまで調光を行う保護動作である。
【００１９】
第２の態様についてさらに詳述すれば、点灯回路の負荷特性を定電力制御形から定電流制御形に切り換えると、調光動作に伴ってランプ電圧が一時的に上昇したとしても、ランプ電流がランプ電圧の上昇に同期して減少しなくなる。このため、放電アークが不安定になって立ち消えを起こすことがないばかりか、調光が進行する中で時間の経過によりランプ電圧が落ち着いてくるので、所望レベルまで調光動作を継続しても差し支えなくなる。
【００２０】
ところで、制御手段は、ランプ電圧の上昇またはランプ電流の減少が所定範囲を超えるとこれを検出して調光動作を停止するために、所定範囲としてランプ電圧の上昇またはランプ電流の減少の程度に対する適当な閾値を予め設定することができる。一例を示せば、ランプ電圧が基準値に対して例えば２Ｖ上昇を閾値として設定する。なお、基準値としては、ランプ電圧の監視の場合、全光点灯時のランプ電圧を採用したり、調光動作の直前のランプ電圧を採用したりすることができる。ランプ電流についても上述のランプ電圧に見合うような値を基準値として設定することができる。
【００２１】
また、ランプ電圧を監視するために、定電力制御のために配設されるランプ電圧検出回路を利用することができる。この場合、高圧放電ランプの１対の電極間に現れるランプ電圧を直接検出してもよいし、ランプ電圧にほぼ比例的な電圧を点灯回路の適当な部位において検出する間接的な検出であってもよい。また、ランプ電流を検出するために、定電力制御のために配設されるランプ電流検出回路を利用することができる。ランプ電流の検出も高圧放電ランプに流入するランプ電流を直接検出するだけでなく、間接的に検出することが許容される。
【００２２】
また、制御手段は、高圧放電ランプを調光点灯するように点灯回路を制御する。例えば、外部から調光指令が調光信号として送出された場合、制御手段は、当該調光信号を受信して、調光制御信号を生成し点灯回路に送出して点灯回路の出力を絞り、高圧放電ランプのランプ電力を低減させて調光する。なお、調光信号は、例えばＰＷＭ信号や直流レベル信号などの適宜形式により構成することができる。
【００２３】
さらに、制御手段は、点灯回路に定電力制御特性を付与するように作用させることができる。これを実現するために、上記ランプ電圧検出回路および上記ランプ電流検出回路によってランプ電圧およびランプ電流を検出し、これらの出力を演算により乗算してランプ電力を算出し、当該ランプ電力が一定になるように負帰還制御すれば、定電力制御を行うことができる。
【００２４】
以上の各種の制御を行うためには、マイクロコンピュータ（マイコン）を主体として制御手段を構成するのが好ましい。しかし、本発明は、所望により集積回路その他の手段によって制御手段を構成することもできる。
【００２５】
〔高圧放電ランプ点灯装置の作用について〕    本発明の高圧放電ランプ点灯装置においては、高圧放電ランプが安定に全光点灯している状態で、制御手段からの制御によって点灯回路の出力が減少して調光が行われると、高圧放電ランプのランプ電圧がオーバーシュートしながら上昇し、反対にランプ電流がランプ電圧に同期してアンダーシュートしながら減少する。そこで、調光動作を停止すると、やがて徐々に調光停止後の正常なランプ電圧およびランプ電流に落ち着いていく。
【００２６】
制御手段は、高圧放電ランプのランプ電圧または／およびランプ電流を監視して、それらの値が予め設定した所定範囲を超えようするときには、調光保護動作を行う。第１の態様における調光保護動作は、調光動作をいったん停止するように構成されている。そして、ランプ電圧およびランプ電流の変化が所定の程度まで収まったときに、点灯回路を制御して調光を再開させる。その際に、再び上記と同様の現象が生じた場合には、再びいったん調光を停止して、上記のように収まるのを待って再度調光を再開させる。このような動作を目標調光度に達するまで繰り返すことができる。
【００２７】
また、第２の態様における調光保護動作は、点灯回路の負荷特性を定電力制御形から定電流制御形に切り換えて調光動作を継続する。
【００２８】
〔本発明におけるその他の態様について〕    以下、本発明のその他の態様について列記する。そして、その他の態様の一部または全部を適宜所望により採用することにより、より一層実際的ないし高機能な構成を得ることができる。
【００２９】
１．制御手段は、全光点灯時のランプ電圧またはランプ電流の値を基準として、調光動作に伴うランプ電圧またはランプ電流の変化の所定範囲を設定する。したがって、制御手段は、全光点灯時のランプ電圧またはランプ電流の値を基準として所定範囲を超えて変動するか否かを判定することで、調光動作をいったん停止するか否かを判定する。
【００３０】
本態様は、全光点灯状態からの段調光を行う場合特に好適であるが、連続的な調光を行う場合にも採用することができる。
【００３１】
２．制御手段は、調光動作を行う直前のランプ電圧またはランプ電流値を基準として、調光動作に伴うランプ電圧またはランプ電流の変化の所定範囲を設定する。したがって、制御手段は、調光動作に入る直前のランプ電圧またはランプ電流を基準として所定範囲を超えて変動するか否かを判定することで、調光動作をいったん停止するか否かを判定する。
【００３２】
本態様は、連続的な調光や多段階の調光を行う場合に好適である。
【００３３】
３．制御手段は、調光動作時におけるランプ電流の電流下限値を規定する電流リミッタを含んでいる。電流リミッタを含んでいることにより、調光動作時にランプ電流が減少しすぎて放電アークが不安定になって立ち消えが発生するのを防止することができる。なお、電流下限値は、設定を可変にしておくのが好ましい。また、調光動作をいったん停止するか否かを判断するための高圧放電ランプの動作状態の監視は、ランプ電圧およびランプ電流のいずれであってもよい。
【００３４】
４．制御手段が行う調光保護動作は、点灯回路を定電流制御に切り換えて調光動作を継続することからなる。
【００３５】
本態様によれば、調光動作が所望のレベルまで途中停止しないので、光出力の変化が一層スムーズになる。所望レベル間での調光動作が終了したら、再び点灯回路の負荷特性を定電力制御形に切り換えるのが好ましい。
【００３６】
５．制御手段は、その調光保護動作が、ランプ電圧またはランプ電流が所定範囲を超えるときに調光動作をいったん停止し、ランプ電圧またはランプ電流が落ち着いたときに調光動作を再開する保護動作を行う態様である場合に、調光動作をいったん停止したときに点灯回路を一時的に定電流制御に変更する。そして、ランプ電圧が落ち着いた後の調光動作再開時には再び定電力制御に復帰する。
【００３７】
本態様においては、調光動作時にランプ電圧が調光前の値より少なくとも所定範囲を超えて上昇したときに、点灯回路の負荷特性が定電流制御に変更されるので、ランプ電流の急減をなくすことができ、このため調光時のランプ電流の急減に起因する放電アークの立ち消えをより一層確実に防止することができる。
【００３８】
６．高圧放電ランプの始動用としての高電圧パルス発生回路を具備することができる。この場合の高電圧パルス発生回路は、高圧放電ランプの外管内に組み込むことができるが、所望により高圧放電ランプ点灯装置にいわゆるイグナイタとして組み込んだり、高圧放電ランプおよび高圧放電ランプ点灯装置とは別に配設したりすることもできる。
【発明の効果】
【００３９】
本発明によれば、調光動作時にランプ電圧またはランプ電流が所定範囲を超えて変化して放電アークの立ち消えを生じやすい不安定な点灯状態になる以前に調光保護動作を行うことにより、高圧放電ランプの寿命進展程度の如何にかかわらず放電アークの立ち消えを生じることなく調光可能な高圧放電ランプ点灯装置を提供することができる。
【００４０】
また、調光動作が確実に実行されるとともに、調光における高圧放電ランプの明るさの変化に不自然さが比較的少なくて、目標調光度へのスムーズな移行が実現する。
【発明を実施するための最良の形態】
【００４１】
以下、図面を参照して本発明を実施するための形態を説明する。
【００４２】
図１ないし図３は、本発明の高圧放電ランプ点灯装置を実施するための第１の形態を示し、図１は回路図、図２は高圧放電ランプのランプ電圧およびランプ電力波形の変化を示すグラフ、図３は制御手段における調光制御のフローチャートである。
【００４３】
最初に、図１を参照して高圧放電ランプ点灯装置の回路構成について説明する。高圧放電ランプ点灯装置は、点灯回路ＯＣおよび制御手段ＣＣを具備して構成され、調光信号発生回路ＤＩＭから送出される調光信号に応じて高圧放電ランプＨＰＬを調光する。
【００４４】
点灯回路ＯＣは、高圧放電ランプＨＰＬを全光点灯および調光点灯するための回路手段であり、直流電源回路ＤＣ、降圧チョッパ回路ＳＤＣおよび点灯状態検出回路ＯＤＣを備えている。
【００４５】
直流電源回路ＤＣは、整流回路ＲＣおよび平滑コンデンサＣ１の並列回路からなる。整流回路ＲＣは、その交流入力端が交流電源ＡＣに接続し、直流出力端が平滑コンデンサＣ１に並列接続している。
【００４６】
降圧チョッパ回路ＳＤＣは、点灯主回路ＣＨおよび駆動信号発生回路ＧＤＧを有している。点灯主回路ＣＨは、スイッチング素子Ｑ１、ダイオードＤ１、インダクタＬ１およびコンデンサＣ２を備えて構成されている。すなわち、直流電源回路ＤＣの出力端間にスイッチング素子Ｑ１およびダイオードＤ１が図示極性に直列接続し、ダイオードＤ１の両端間にインダクタＬ１およびコンデンサＣ２の直列回路が接続して、降圧チョッパ回路ＳＤＣを構成している。そして、コンデンサＣ２の両端間から降圧された直流電圧を出力して高圧放電ランプＨＰＬを直流点灯する。駆動信号発生回路ＧＤＧは、後述する制御手段ＣＣによる制御を受けて駆動信号を発生して、点灯主回路ＣＨのスイッチング素子Ｑ１に供給する。
【００４７】
点灯状態検出回路ＯＤＣは、ランプ電圧検出回路ＶｌＤおよびランプ電流検出回路ＩｌＤからなる。ランプ電圧検出回路ＶｌＤは、高圧放電ランプＨＰＬに抵抗器Ｒ１、Ｒ２の直列回路を並列接続してなり、抵抗器Ｒ２の端子電圧によって分圧されたランプ電圧を検出することができる。ランプ電流検出回路ＩｌＤは、高圧放電ランプＨＰＬに直列に挿入された抵抗器Ｒ３からなり、当該抵抗器Ｒ３の電圧降下によってランプ電流を検出することができる。
【００４８】
制御手段ＣＣは、マイコンを主体として構成されていて、点灯回路ＯＣを定電力制御するとともに、後述する調光信号発生回路ＤＩＭから送出される調光信号に応動して点灯回路ＯＣを調光制御する。すなわち、制御手段ＣＣは、ＶＬポート、ＩＬポート、ｏｕｔポート、ｄｉｍポートを有している。ＶＬポートには、ランプ電圧検出回路ＶｌＤの出力端が接続してランプ電圧を制御入力する。ＩＬポートには、ランプ電流検出回路ＩｌＤの出力端が接続してランプ電圧を制御入力する。ｏｕｔポートは、制御信号を出力して降圧チョッパ回路ＳＤＣのゲート信号発生回路ＧＤＧに供給する。ｄｉｍポートには、後述する調光信号発生回路ＤＩＭから送出された調光信号が制御入力する。
【００４９】
調光信号発生回路ＤＩＭは、例えば外部に配設されてＰＷＭ形式の調光信号を発生し、高圧放電ランプ点灯装置に送出し、制御手段ＣＣに制御入力する。
【００５０】
高圧放電ランプＨＰＬは、例えばメタルハライドランプからなり、透光性セラミックス気密容器を備えたものを用いることができる。なお、図示を省略しているが、高電圧パルス発生回路を内蔵したものである。
【００５１】
次に、図２を参照して調光動作について説明する。なお、図２において、（ａ）はランプ電圧の変化を示し、（ｂ）はランプ電力の変化を示す。
【００５２】
図２（ｂ）を参照して、全光点灯状態Ｆから目標調光状態Ｄに調光制御する場合について説明する。本形態において、制御手段ＣＣは、全光点灯時のランプ電圧ＶＬＦを基準値として、ランプ電圧が基準値ＶＬＦに対して＋２Ｖからなる所定範囲が予め設定されていて、ランプ電圧が所定範囲を超えて上昇したら調光動作をいったん停止するように予めプログラムされている。
【００５３】
また、制御手段ＣＣは、少なくとも調光動作時に高圧放電ランプＨＰＬのランプ電圧を監視し、ランプ電圧が上記所定範囲を超えると、これに応動して点灯回路ＯＣを制御して調光動作をいったん停止させる。
【００５４】
本形態においては、調光動作を行う場合、制御手段ＣＣは、点灯回路ＯＣの降圧チョッパ回路ＳＤＣの駆動信号発生回路ＧＤＣを制御して降圧チョッパ回路ＳＤＣの出力電圧を順次低下させることで調光動作が開始する。調光動作が開始すると、高圧放電ランプＨＰＬのランプ電圧は、図２（ａ）に示すように上昇する。
【００５５】
また、制御手段ＣＣの調光動作時におけるランプ電圧の監視は、ランプ電圧が予め設定した所定範囲と比較して、所定範囲を超えると、調光動作が停止する。調光動作が停止すると、上昇したランプ電圧はやがて減少に転じて連続して緩やかに減少しながらランプ電圧ＶＬ１に落ち着く。なお、調光動作の停止状態において、高圧放電ランプＨＰＬは図２（ｂ）に示すように中間の点灯状態ａとなる。
【００５６】
そうして、ランプ電圧の変動が収まると、制御手段ＣＣは、点灯回路ＯＣを制御して調光動作を再開させる。その結果、ランプ電圧が再び上昇するが、前記基準値に対して２Ｖ未満の上昇であれば、所定範囲を超えないので、調光動作は停止されない。そして、ランプ電圧は一時的に上昇するがやがて落ち着いて目標調光点灯状態Ｄに到達する。
【００５７】
次に、図３を参照して制御手段ＣＣにおける制御動作についてさらに詳細に説明する。すなわち、調光信号発生回路ＤＩＭから制御手段ＣＣに調光入力があると、制御手段ＣＣは、点灯回路ＯＣを制御して調光動作を開始する。そして、制御手段ＣＣは、調光動作中における高圧放電ランプＨＰＬのランプ電圧を判定する。そして、調光によりランプ電圧が所定範囲を超えて上昇すれば、いったん調光動作を停止する。制御手段ＣＣは、調光動作の停止後もランプ電圧の監視を継続する。そして、ランプ電圧が例えば１０秒間の間に変動していれば、調光動作中止を引き続き継続し、変動がなくなったと判定したときには、調光値が目標に達しているか否かを例えばランプ電力を監視して確認する。そして、目標調光点灯状態Ｄに達していれば、調光動作を完了する。また、目標調光点灯状態に達していない場合には、制御手段ＣＣが上述の制御動作を繰り返すことにより、所望の調光を行うことができる。
【００５８】
図４は、本発明の高圧放電ランプ点灯装置を実施するための第２の形態における高圧放電ランプのランプ電圧およびランプ電力波形の変化を示すグラフである。本形態は、制御手段ＣＣにおけるランプ電圧判定の基準値がそれぞれの調光動作における直前のランプ電圧になっている。
【００５９】
すなわち、全光点灯状態Ｆから調光動作を行う場合、直前のランプ電圧は全光点灯時のランプ電圧ＶＬＦなので、基準値は第１の形態におけるのと同じになる。そして、第１回目の調光動作においてランプ電圧の上昇により、ランプ電圧が基準値ＶＬＦに対して＋２Ｖからなる所定範囲を超えると、調光動作がいったん停止される。しかし、第２回目の調光動作を行う際のランプ電圧判定には、第１回目の調光動作停止後に安定したランプ電圧ＶＬ１が直前のランプ電圧となるので、ランプ電圧ＶＬ１が基準値として所定範囲が例えば基準値に対して＋２Ｖとして設定されて判定される。
【００６０】
そうして、第２回目の調光動作によりランプ電圧が上昇して基準値ＶＬ１＋２Ｖを超えると、再度調光動作が再度いったん停止される。第２回目の調光動作の停止によりランプ電圧が低下してランプ電圧がＶＬ２に落ち着くと、第３回目の調光動作が開始する。第３回目の調光動作におけるランプ電圧判定は、直前のランプ電圧ＶＬ２が基準値となり、所定範囲がＶＬ２に対して＋２Ｖとして設定される。
【００６１】
ところが、第３回目の調光動作においてはランプ電圧の上昇が所定範囲を超えないので、中止されることなく、目標調光状態Ｄに到達する。そして、目標調光状態Ｄにおけるランプ電圧はＶＬＤとなる。なお、第２回目の調光動作における調光状態はａ、第３回目の調光状態はｂである。
【００６２】
図５および図６は、本発明の高圧放電ランプ点灯装置を実施するための第３の形態を示し、図５はランプ電圧、ランプ電流およびランプ電力の変化を示すグラフ、図６は制御手段における調光制御のフローチャートである。本形態は、ランプ電流の変化に基づいて調光制御を行う点において図４に示す第２の形態と相違している。
【００６３】
図５において、（ａ）はランプ電圧、（ｂ）はランプ電流、（ｃ）はランプ電力、をそれぞれ示す。すなわち、調光制御において、（ａ）に示すランプ電圧が図４におけるのと同様に変化すると、これに対応してランプ電流は（ｂ）に示すように変化する。ランプ電流により所定範囲を設定する本形態の場合、ランプ電流が電流下限値ＩＬＬを基準値として所定量、例えば０．６７Ａ低減した値を所定範囲としている。なお、電流下限値を設定するには、制御手段に電流リミッタ機能を配設しておき、この電流リミッタにより設定するのがよい。
【００６４】
そうして、調光動作後の点灯状態は（ｃ）に示すように第２の形態におけるのと同様である。
【００６５】
図７は、本発明の高圧放電ランプ点灯装置を実施するための第４の形態における点灯回路の負荷特性を示すグラフである。図において、曲線Ａは、本発明における第４の形態の負荷特性を示している。また、曲線Ｂは、比較例の負荷特性を示している。なお、比較例は、既知の定電力制御の高圧放電ランプ点灯装置である。
【００６６】
本形態は、調光動作が所定範囲を超えたときに点灯回路ＯＣの負荷特性を定電力制御から定電流制御に切り換えるように構成されている。すなわち、負荷特性は、全光点灯状態においてはＰ１に示すように定電力制御特性を示す領域が動作点となって高圧放電ランプＨＰＬを点灯する。
【００６７】
これに対して、調光動作が停止したときにはＰ２に示すように定電流制御特性を示す領域が動作点となって高圧放電ランプＨＰＬを点灯する。
【００６８】
なお、負荷特性の切り換えは、制御手段ＣＣのプログラムおよびテーブルデータを適当に設定することにより実現することができる。
【００６９】
そうして、本形態においては、調光動作の停止時に高圧放電ランプＨＰＬが定電流制御下で点灯するので、ランプ電圧が上昇したときであっても、ランプ電流がランプ電圧に対応して低減するという現象が発生しないで、一定に維持される。このため、放電アークの立ち消えが一層生じにくくなる。
【図面の簡単な説明】
【００７０】
【図１】本発明の高圧放電ランプ点灯装置を実施するための第１の形態の回路図
【図２】同じく高圧放電ランプのランプ電圧およびランプ電力波形の変化を示すグラフ
【図３】同じく制御手段における調光制御のフローチャート
【図４】本発明の高圧放電ランプ点灯装置を実施するための第２の形態における高圧放電ランプのランプ電圧およびランプ電力波形の変化を示すグラフ
【図５】本発明の高圧放電ランプ点灯装置を実施するための第３の形態におけるランプ電圧、ランプ電流およびランプ電力の変化を示すグラフ
【図６】同じく制御手段における調光制御のフローチャート
【図７】本発明の高圧放電ランプ点灯装置を実施するための第４の形態における点灯回路の負荷特性を示すグラフ
【符号の説明】
【００７１】
Ｃ１……平滑コンデンサ、ＣＣ…制御手段、ＣＨ……点灯主回路、ＤＣ…直流電源回路、ＤＩＭ…調光信号発生回路、ＧＤＧ…駆動信号発生回路、ＨＰＬ…高圧放電ランプ、ＩｌＤ…ランプ電流検出回路ＳＤＣ…降圧チョッパ回路、ＯＣ…点灯回路、ＯＤＣ…点灯状態検出回路、ＲＣ…整流回路、ＶｌＤ…ランプ電圧検出回路
【図１】
2008130294.tif 000003
【図２】
2008130294.tif 000004
【図３】
2008130294.tif 000005
【図４】
2008130294.tif 000006
【図５】
2008130294.tif 000007
【図６】
2008130294.tif 000008
【図７】
2008130294.tif 000009